(57)【要約】【課題】男性、特に体の不自由な病人や老人の排尿時に滴の垂れ落ちを防止する排尿補助具を提供する。更に、この排尿補助具の使用による介護と同時に、排尿によって、糖検査、蛋白質検査、潜血検査も行えるようにする。【解決手段】吸水性のある素材を輪状に形成した本体部１１と、該本体部１１の一部に形成した舌片１２とからなり、該本体部１１と舌片１２のうちの少なくとも一方に、糖検査剤Ａ、蛋白質検査剤Ｂ、潜血検査剤Ｃのうちの少なくとも１つを設ける。【選択図】        図１
2004275621.tif 000002
【特許請求の範囲】
【請求項１】
素材を輪状に形成するとともに、糖検査剤、蛋白質検査剤、潜血検査剤のうちの少なくとも１つを設けたことを特徴とする男性用排尿補助具。
【請求項２】
吸水性のある素材を輪状に形成した本体部と、該本体部の一部に形成した舌片とからなり、該本体部と舌片のうちの少なくとも一方に、糖検査剤、蛋白質検査剤、潜血検査剤のうちの少なくとも１つを設けたことを特徴とする男性用排尿補助具。
【請求項３】
輪状の一部に把持部を形成したことを特徴とする請求項１又は２記載の男性用排尿補助具。
【請求項４】
素材が吸水性と共に水溶性でもあることを特徴とする請求項１又は２又は３記載の男性用排尿補助具。
【発明の詳細な説明】
【０００１】
【発明の属する技術分野】
本発明は、弾性の小用時に使用し、特に体の不自由な病人の排尿を介助する排尿補助具に関するものである。
【０００２】
【従来の技術】
従来、体の不自由な病人や老人などの男性の被介護者の排尿を介助するにあたり、介護者が被介護者の陰茎を直接触れることは、尿による汚れが生じたり、不衛生的でもあった。
【０００３】
【発明が解決しようとする課題】
本発明は、体の不自由な病人や老人の排尿を介助するにあたり、介護者が被介護者の陰茎を直接触れることなく排尿を介助し、排尿時の垂れ防止を図ることができ、かつ、尿の検査もできる男性用排尿補助具を提供しようとするものである。
【０００４】
【課題を解決するための手段】
前記の課題を解決するために、請求項１記載の発明は、素材を輪状に形成するとともに、糖検査剤、蛋白質検査剤、潜血検査剤のうちの少なくとも１つを設けたことを特徴とする男性用排尿補助具である。
【０００５】
請求項２記載の発明は、吸水性のある素材を輪状に形成した本体部と、該本体部の一部に形成した舌片とからなり、該本体部と舌片のうちの少なくとも一方に、糖検査剤、蛋白質検査剤、潜血検査剤のうちの少なくとも１つを設けたことを特徴とする男性用排尿補助具である。
【０００６】
請求項３記載の発明は、請求項１又は２記載の発明において、輪状の一部に把持部を形成したことを特徴とする男性用排尿補助具である。
【０００７】
請求項４記載の発明は、前記請求項１又は２又は３記載の発明において、素材が吸水性と共に水溶性でもあることを特徴とする男性用排尿補助具である。
【０００８】
【発明の実施の形態】
本発明の好ましい実施の形態を図１乃至図５を参照して説明する。
【０００９】
図１は本発明の一実施例の形態を示す斜視図であり、排尿補助具１は吸水性を有する素材で形成されており、例えば綿等の吸水性を有する柔軟材、あるいは吸水性とともに水溶性を有する紙等の水溶性材を素材として用いる。水溶性材で形成すれば、使用後そのまま便器内で流すことができ、使い捨てで衛生的であると共に後処理も容易である。
【００１０】
排尿補助具１は、前記の素材により、図１に示す輪状にした本体部１１のみで形成してもよく、また、図１に示すように、輪状の本体部１１と、該本体部１１の一部に、本体部１１の外側に向かって突出するように形成した滴垂れ防止用の舌片１２とからなるものでもよい。
【００１１】
使用時には本体部１１に排尿者の陰茎を挿通し、本体部１１の一部、例えば舌片１２と対向する部分１１ａを指先で摘み、図２に示すように撚りを掛けるように捻ることで本体部１１を、陰茎に強く締め付けることなく且つ脱落することのない好適な寸法として装着し、その撚りを掛けて形成された部分１１ｂを例えば介護者等が保持して排尿を行う。
【００１２】
また、舌片１２を形成したものにおいては、滴垂れ防止を図ることができる。
また、図３に示すように、前記図１における輪状の本体部１１に、前記舌片１２と対向する側に位置して把持部１３を形成した形状にして、この把持部１３を介護者等が保持するようにしてもよい。この他にも本発明の主旨を逸脱しない範囲で種々変形が可能である。
【００１３】
前記図１に示す輪状の本体部１１には、糖検査剤Ａ、蛋白質検査剤Ｂ、潜血検査剤Ｃが、それぞれ適宜の範囲で含浸、付着などによって設けられており、これらの検査剤が尿によって色が変化した場合に、その色が外部から認識できるようになっている。これら各検査剤Ａ，Ｂ，Ｃは図１に示すように、本体部１１における舌片１２側である下半部の範囲に設けるとよい。また、この各剤Ａ，Ｂ，Ｃの配列の順序は問わない。
【００１４】
前記のように本体部１１に糖検査剤Ａ、蛋白質検査剤Ｂ、潜血検査剤Ｃを設けることにより、前記のようにこの排尿補助具１を使用して排尿した際に、その尿が前記各剤Ａ，Ｂ，Ｃに付着して作用することにより、陰性と陽性の相違によって該各剤Ａ，Ｂ，Ｃが所定の色に変化する。この変化した各剤Ａ，Ｂ，Ｃの色を、別に用意した色調表と対比することにより、陰性か陽性かが判定できる。
【００１５】
なお、前記図１の実施例では、糖検査剤Ａと蛋白質検査剤Ｂと潜血検査剤Ｃの３種類を設けたが、これらの検査剤Ａ，Ｂ，Ｃのうちの少なくとも１つを設けるようにしてもよい。すなわち、糖検査剤Ａと蛋白質検査剤Ｂと潜血検査剤Ｃのうちの所望の１つでもよく、所望の２種類の組み合わせでもよく、実施例のように３種類設けてもよい。
【００１６】
図４は、前記の各検査剤Ａ，Ｂ，Ｃを前記の舌片１２に設けた排尿補助具を示すものである。この実施例では、各検査剤Ａ，Ｂ，Ｃが舌片１２を横断するように配置して設けられている。
【００１７】
この実施例では、前記のように排尿補助具１を使用して排尿した際に、その尿が舌片１２を伝って垂れることにより、その尿が各検査剤Ａ，Ｂ，Ｃに付着して作用し、各検査剤Ａ，Ｂ，Ｃの色の変化により、前記と同様に陰性か陽性かの判定ができる。
【００１８】
その他の構造と使用方法等は前記図１に示す実施例と同様であるため、前記と同一部分には前記と同一の符号を付してその説明は省略する。
【００１９】
また、この図４に示す実施例においても、前記と同様に、糖検査剤Ａと蛋白質検査剤Ｂと潜血検査剤Ｃのうちの少なくとも１つを設けてもよく、また、これらの所望の組み合わせでもよい。また、これら各剤Ａ，Ｂ，Ｃの配列順序は問わず、更に、各剤Ａ，Ｂ，Ｃを舌片１２の縦方向に配列してもよい。
【００２０】
図５は前記図３に示す把持部１３を形成した排尿補助具１の舌片１２に前記図４と同様に糖検査剤Ａ、蛋白質検査剤Ｂ、潜血検査剤Ｃを設けたものである。その他の構造は前記図３に示す構造と同様であるため、前記と同一部分には前記と同一の符号を付してその説明は省略する。
【００２１】
この図５に示す実施例においても前記図４の実施例と同様の作用、効果を発揮する。
【００２２】
なお、前記の糖検査剤Ａ、蛋白質検査剤Ｂ、潜血検査剤Ｃは、本体部１１に図１に示すように設けるとともに舌片１２に図４に示すように設けて、本体部１１と舌片１２の双方に設けてもよい。
【００２３】
次に、前記糖検査剤Ａと蛋白質検査剤Ｂと潜血検査剤Ｃについて説明する。
前記糖検査剤Ａとしては、尿と接触することによりその中に含まれる糖（特にブドウ糖）の濃度に応じて色調度が異なるものであればよく、特に限定されない。この例としては、例えば、酵素法（グルコースオキシダーゼ法）が通常用いられ、グルコースオキシダーゼ、ペルオキシダーゼ及びオルト（ｏ）−トリジン（若しくは３，３’，５，５’−テトラメチルベンジジン若しくは置換アミノカルバゾール若しくはヘテロ環式アジン等）等の組合せを挙げることができる。
【００２４】
この具体的な例としては、▲１▼グルコースオキシダーゼ、ペルオキシダーゼ及びｏ−トリジン（素材１枚に含まれる各成分の含有量は、各々、約０．５３〜０．５４Ｕ、０．００６〜０．００７ｍｇ、０．２４〜０．２５ｍｇ程度）、▲２▼グルコースオキシダーゼ、ペルオキシダーゼ及び９−（γ−ジメチルアミノプロピル）−６−クロル−３−アミノカルバゾール−ジヒドロクロリド（素材１枚に含まれる各成分の含有量は、各々、約０．５３〜５４Ｕ、０．００６〜０．００７ｍｇ、０．２４〜０．２５ｍｇ程度）、▲３▼グルコースオキシダーゼ、ペルオキシダーゼ、２，７−ジアミノフルオレン二塩基酸及びＮ−（３−スルホプロピル）−３，３’，５，５’−テトラメチルベンジジンナトリウム（素材１枚に含まれる各成分の含有量は、各々、約０．０２３〜０．０２４ｍｇ、０．００３〜０．００４ｍｇ、０．００７〜０．００８ｍｇ、０．０２〜０．０３ｍｇ程度）、▲４▼グルコースオキシダーゼ、ペルオキシダーゼ及びグアヤク脂（素材１枚に含まれる各成分の含有量は、各々、約０．００４〜０．００５ｍｇ、０．００２〜０．００３ｍｇ、０．００５〜０．００６ｍｇ等が挙げられる。尚、この各成分の含有量は適宜、変更することができる。また、これにヨウ素酸テトラメチルアンモニウム等のヨウ素酸塩を含有させることができ、この含有により、尿中に含まれるアスコルビン酸による弊害を防ぐことができる。また、クエン酸塩等の緩衝液を含有させてｐＨを安定させることもできる。更に、この発色等の作用を害さない範囲において種々の添加剤を配合することもできる。
【００２５】
前記蛋白質検査剤Ｂとしては、尿と接触することによりその中に含まれる蛋白質の濃度に応じて色調度が異なるものであればよく、特に限定されない。この例としては、例えば、ｐＨ指示薬の蛋白誤差法が通常用いられ、これに用いられるテトラブロムフェノールブルー等を挙げることができる。このテトラブロムフェノールブルーの含有量は、素材１枚に含まれる含有量として、０．００３〜０．００４ｍｇ程度が挙げられる。また、ピロガロールレッド・モリブデン酸錯体発色法を利用することもできる。尚、前記各成分の含有量は適宜、変更することができる。また、これにヨウ素酸テトラメチルアンモニウム等のヨウ素酸塩及び／又はクエン酸塩等の緩衝液を含有させることもできるし、更にこの発色等の作用を害さない範囲において種々の添加剤を配合することもできる。
【００２６】
前記潜血検査剤Ｃとしては、尿と接触することによりその中に含まれる血液（特に赤血球）の濃度に応じて色調度が異なるものであればよく、特に限定されさい。この例としては、例えば、ヘモグロビン偽ペルオキシダーゼ活性法が通常用いられ、この方法では、赤血球とヘモグロビンの識別も可能で、ヘモグロビンのほかにミオグロビンとも反応する。
【００２７】
この具体的な例としては、▲１▼ビス［４−（α−ヒドロペルオキシイソプロピル）ベンジル］エーテル及びｏ−トリジン（素材１枚に含まれる各成分の含有量は、各々、０．０６５〜０．０７５ｍｇ、０．１１〜０．１２ｍｇ程度）、▲２▼２，５−ジメチルヘキサン−２，５−ジヒドロペルキシド及びｏ−トリジン（素材１００枚に含まれる各成分の含有量は、各々、６．５〜７．５ｍｇ、１１〜１２ｍｇ程度）、▲３▼３，３’，５，５’−テトラメチルベンジジン等が挙げられる。尚、この各成分の含有量は適宜、変更することができる。また、これにヨウ素酸テトラメチルアンモニウム等のヨウ素酸塩及び／又はクエン酸塩等の緩衝液を含有させることもできるし、更にこの発色等の作用を害さない範囲において種々の添加剤を配合することもできる。
【００２８】
前記各種検査剤を所定の素材に付着させる方法としては、例えば以下の方法を挙げることができる。即ち、前記に示す各種検査剤成分を含む溶液［水溶液、水／アルコール（エタノール又はメタノール）の混合溶液、又は他の有機溶剤（ベンゼン、トルエン、又はトルエン／アルコール混合溶剤等）による溶液等］を調製し、これを使用する素材に含浸させて、その後、自然乾燥、４０〜５０℃程度（この温度未満でも、それを超えた温度でも良い。）の加熱又は減圧等を行って乾燥させて付着させる。
【００２９】
前記のように、所定の素材に付着形成された所定の検査薬に尿が接触した場合、その濃度に応じて発色する。この発色の程度を色調表（同条件における所定の成分濃度と色調との関係をテーブルにした比較対照表）と比較して陰性又は陽性（又はその中間か否か）等を判定する。この判定は、前記糖検査、前記蛋白質検査及び前記潜血検査において尿と接触させてから、通常、各々、２０秒後、１０秒後及び３０秒後に行う。例えば、前記ブドウ糖検査剤▲１▼を用いて検査した場合、色調表の記号が、陰性（検出限界以下）、±（ブドウ糖濃度：約５０ｍｇ／ｄＬ）、＋（約１５０ｍｇ／ｄＬ）、＋＋（約５００ｍｇ／ｄＬ）、＋＋＋（約２０００ｍｇ／ｄＬ）の場合、前者２つが「ほとんど尿酸は検出されなかった。」、他は「多めの尿酸が検出された」という判定がされる。
【００３０】
また、前記例示された蛋白質検査剤を用いて検査した場合、例えば、色調表の記号が、陰性（検出限界以下）、±（蛋白質濃度：約１５ｍｇ／ｄＬ）、＋（約３０ｍｇ／ｄＬ）、＋＋（約１００ｍｇ／ｄＬ）、＋＋＋（約２５０ｍｇ／ｄＬ）、＋＋＋＋（約１０００ｍｇ／ｄＬ）の場合、前者２つが「ほとんど尿蛋白は検出されなかった。」、「＋」が「少し尿蛋白が検出された。」、他は「多めの尿蛋白が検出された」という判定がされる。
【００３１】
更に、前記潜血検査剤▲１▼を用いて検査した場合、例えば、色調表の記号が、陰性（検出限界以下）、＋（潜血濃度：約１０ｍｇ／ｄＬ）、＋＋（約５０ｍｇ／ｄＬ）、＋＋＋（約２５０ｍｇ／ｄＬ）の場合、陰性は「ほとんど潜血は検出されなかった。」、他は「潜血が検出された」という判定がされる。
【００３２】
以上により、極めて簡便に尿中の糖（ブドウ糖）、蛋白質及び／又は潜血の検査を行うことができる。
【００３３】
【発明の効果】
本発明によれば、男性の排尿時に滴の垂れ落ちを防ぐと共に、体の不自由な病人や老人の排尿を介助するにあたり、介護者が被介護者の陰茎を直接触れることなく、かつ尿による汚れも防止でき、衛生的である。また、水溶性の素材により形成すれば、使用後の本発明品の処理も容易である。
【００３４】
更に、本発明の排尿補助具に糖検査剤、蛋白質検査剤、潜血検査剤のうちの少なくとも１つを設けたので、排尿補助具の使用時に、該排尿補助具に尿が付着することによって、介助と同時にその設けられた検査剤による検査が可能になる。
【図面の簡単な説明】
【図１】本発明の実施例を示す斜視図。
【図２】本発明の実施例の使用状態を示す斜視図。
【図３】本発明の他の実施例を示す斜視図。
【図４】本発明の更に他の実施例を示す斜視図。
【図５】本発明の更に他の実施例を示す斜視図。
【符号の説明】
１    排尿補助具
１１    本体部
１２    垂れ防止用の舌片
１３    把持部
Ａ      糖検査剤
Ｂ      蛋白質検査剤
Ｃ      潜血検査剤
【図１】
2004275621.tif 000003
【図２】
2004275621.tif 000004
【図３】
2004275621.tif 000005
【図４】
2004275621.tif 000006
【図５】
2004275621.tif 000007